(57)【特許請求の範囲】
【請求項１】
用紙を給紙ローラで給送する給紙装置において、
複数枚の用紙を積載するホッパーと、
高摩擦材の分離パッドと、
前記分離パッドを取り付けた面を有し、前記ホッパーの最上位の用紙を給紙ローラに押し付けて分離すると共に、前記面により重送された用紙を前記ホッパーに戻す紙戻し部材と、を備え、
前記紙戻し部材は、ホッパーの側方に延びる基端を有し、該基端をホッパーの前端近傍に位置させ、該基端を支点として給紙ローラとの共働により用紙を給送する倒伏位置と該給紙ローラに干渉しない起立位置へ回動可能に設けられていると共に、給紙ローラが用紙を給送しない状態になったとき紙戻し部材を前記倒伏位置から起立位置に向けて回動させ、重送された用紙をホッパーに戻すことを特徴とする給紙装置。
【請求項２】
請求項１において、給紙ローラから幅方向の中央寄りに補助ローラを備え、給紙時に紙戻し部材の面で用紙を前記補助ローラに押し付けて給送を行うことを特徴とする給紙装置。
【請求項３】
請求項１又は２において、紙戻し部材の起立位置は、用紙搬送路を遮ってホッパーに積載した用紙の用紙搬送路への進入を阻止する位置であることを特徴とする給紙装置。
【請求項４】
請求項１において、紙戻し部材を給紙ローラ側に回動させ、分離パッドを給紙ローラに押し付けるよう作用する付勢手段を備え、該給紙ローラの回転押付け力により紙戻し部材を前記付勢手段の付勢力に抗して倒伏位置へ回動させることを特徴とする給紙装置。
【請求項５】
請求項４において、紙戻し部材を給紙ローラの給送方向への回転に連動させて起立位置から倒伏位置に向けて所定角を回動させる傾動手段を備え、前記紙戻し部材を所定角回動させた後に、給紙ローラが直接紙戻し部材に作用して倒伏位置へ回動させることを特徴とする給紙装置。
【請求項６】
請求項５において、傾動手段は用紙搬送路の幅方向の外側に配置されていることを特徴とする給紙装置。
【請求項７】
請求項６において、傾動手段はカム機構が用いられ、紙戻し部材は用紙搬送路の領域外に突出形成された側端を有し、前記カム機構は紙戻し部材の側端に設けられたカムフォロアと、給紙ローラの回転に伴って前記カムフォロアに作用するカムとから構成されていることを特徴とする給紙装置。
【請求項８】
請求項１において、ホッパーを上昇又は下降可能に支持すると共に、給紙動作により前記ホッパーを上昇又は下降させるホッパー上下用カム機構を備え、前記ホッパーの上昇タイミングは紙戻し部材が倒伏位置に到達した後であることを特徴とする給紙装置。
【請求項９】
請求項１において、紙戻し部材の倒伏位置から起立位置への回動タイミングはホッパーを下降させた後であることを特徴とする給紙装置。
【請求項１０】
請求項８又は９において、ホッパーは幅方向の一端側を支点に回動させる構造とし、該支点が給紙ローラの配置された側とは反対側に設けられていることを特徴とする給紙装置。
【請求項１１】
請求項１０において、ホッパーは給紙ローラに対してホッパー面が一定の傾きを保った状態で上昇又は下降することを特徴とする給紙装置。
【発明の詳細な説明】
【０００１】
【発明の属する技術分野】
本発明は、プリンタ等の記録装置に用いられ、ホッパーに積載されたシート状の用紙を給送する給紙装置に係り、特に重送された用紙をホッパーに戻す紙戻し部材に用紙を1枚づつ分離して給送する機能を持たせた給紙装置に関する。
【０００２】
【従来の技術】
記録装置に用いられる給紙装置は、用紙の幅方向に２つの給紙ローラを配置し、一つの給紙ローラは一方のサイドエッジ側に固定配置され、他方はエッジガイドに組み込まれ、用紙幅に合わせて移動可能な半固定に配置されている。ホッパーの基端は、用紙の進入方向に対し直角な軸に回動可能に取り付けられ、給紙ローラの回転に連動したカム機構によって用紙の幅方向の全体を同じ動作により上昇又は下降を行うよう構成されている。ホッパーから1枚づつ分離して給送する為に分離パッドを設けた分離パッドホルダが回動可能に取り付けられている。
【０００３】
ホッパーの上昇により用紙を給紙ローラに当接させ、同時に分離パッドを給紙ローラに押し付けると、最上位の用紙が分離給送される。用紙が搬送ローラに到達しスキュー取りが終了すると、給紙ローラはホームポジションに回転し停止される。この間、用紙先端と記録ヘッドとの距離を一定にする頭出し動作が行われ、その後印刷が開始される。前記給紙ローラがホームポジションに停止された状態では給紙ローラと分離パッドとの間に隙間が形成されるが、印刷中の用紙の一部が存在している。このとき重送された用紙が隙間に入り込み、場合によっては２以上重なって送られた用紙も印刷中の用紙に共連れされて給送されることもある。このような不具合の対策として、常時分離パッドにアイドルローラが押し当てられている。給紙ローラと分離パッドの間に印刷中の用紙があるとき、この用紙をアイドルローラで分離パッドに押し当てることで、重送した用紙の進入を防止している。進入を阻止された用紙は、印刷終了後に紙戻しレバーを作動させ、ホッパーに押し戻される。
【０００４】
【発明が解決しようとする課題】
従来の給紙装置では、分離パッドホルダと紙戻しレバーを別々に構成している為、構造が複雑になり、部品点数も多く、コスト高の要因となっていた。また紙戻し動作は、印刷後に行われていたので、紙戻し終了後でないと次の給紙動作を開始させることができないから前の用紙の印刷終了から次の用紙の印刷開始までの時間（スループット）が長くなる。更に、印刷中の用紙はアイドルローラに押し当てられているため、用紙との接触負荷が生じ、モータ駆動系の負荷となるなどの問題があった。
本発明の目的は、紙戻し部材に用紙を1枚づつ分離して給送する機能を持たせた給紙装置を提供することにある。
また本発明の他の目的は、印刷中に紙戻し動作を行えるようにした給紙装置を提供することにある。
【０００５】
【課題を解決するための手段】
請求項１の発明は、用紙を給紙ローラで給送する給紙装置において、複数枚の用紙を積載するホッパーと、高摩擦材の分離パッドと、分離パッドを取り付けた面を有し、ホッパーの最上位の用紙を給紙ローラに押し付けて分離すると共に、前記面により重送された用紙を前記ホッパーに戻す紙戻し部材とを備え、紙戻し部材は、ホッパーの側方に延びる基端を有し、該基端をホッパーの前端近傍に位置させ、該基端を支点として給紙ローラとの共働により用紙を給送する倒伏位置と該給紙ローラに干渉しない起立位置へ回動可能に設けられていると共に、給紙ローラが用紙を給送しない状態になったとき紙戻し部材を倒伏位置から起立位置に向けて回動させ、重送された用紙をホッパーに戻すことを特徴とする。
請求項１の発明によれば、紙戻し部材に分離パッドを取り付けたので、従来のように分離パッドホルダと紙戻しレバーとを別々に構成する場合と比べて部品点数を減らすことができ、構造の簡素化によりコスト低減が図れる。
【０００６】
請求項２の発明は、請求項１において、給紙ローラから幅方向の中央寄りに補助ローラを備え、給紙時に紙戻し部材の面で用紙を補助ローラに押し付けて給送を行うことを特徴とする。
請求項２の発明によれば、給紙ローラから幅方向の中央寄りに補助ローラを設けたことにより、給紙ローラによる巻込み進入の無い用紙の他端の動きが抑えられ、スキューを起こし難くし、スキューによる紙ジャムの発生を防ぐことができる。
【０００７】
請求項３の発明は、請求項１又は２において、紙戻し部材の起立位置は、用紙搬送路を遮ってホッパーに積載した用紙の用紙搬送路への進入を阻止する位置であることを特徴とする。
請求項３の発明によれば、非給紙時に紙戻し部材を起立させておくことにより用紙の先端が規制され、用紙搬送路へ不用意に進入するのを阻止できる。
【０００８】
請求項４の発明は、請求項１において、紙戻し部材を給紙ローラ側に回動させ、分離パッドを給紙ローラに押し付けるよう作用する付勢手段を備え、該給紙ローラの回転押付け力により紙戻し部材を付勢手段の付勢力に抗して倒伏位置へ回動させることを特徴とする。
請求項４の発明によれば、紙戻し部材の倒伏位置への回動が給紙ローラの回転押付け力によって行われるので、給紙ローラに対し紙戻し部材が常に当接され、紙戻し部材の用紙の押え付けが確実になる。
【０００９】
請求項５の発明は、請求項４において、紙戻し部材を給紙ローラの給送方向への回転に連動させて起立位置から倒伏位置に向けて所定角を回動させる傾動手段を備え、前記紙戻し部材を所定角回動させた後に、給紙ローラが直接紙戻し部材に作用して倒伏位置へ回動させることを特徴とする。
請求項５の発明によれば、倒伏位置への紙戻し部材の回動は傾動手段による初期回動と給紙ローラの回転押付け力による本回動が連続して行われるので、紙戻し部材を無理なく円滑に回動させることができると共に、ホッパーから給紙ローラまでの用紙搬送路が紙戻し部材によってほぼ閉じられ、不用意な用紙の進入を阻止できる。
【００１０】
請求項６の発明は、請求項５において、傾動手段は用紙搬送路の幅方向の外側に配置されていることを特徴とする。
請求項６の発明によれば、紙戻し部材の上に紙ジャムの用紙があった状態で傾動手段が作動しても前記用紙にダメージを与えることがない。
【００１１】
請求項７の発明は、請求項６において、傾動手段はカム機構が用いられ、紙戻し部材は用紙搬送路の領域外に突出形成された側端を有し、カム機構は紙戻し部材の側端に設けられたカムフォロアと、給紙ローラの回転に伴ってカムフォロアに作用するカムとから構成されていることを特徴とする。
請求項７の発明によれば、傾動手段をカム機構にすることにより、構造が簡素化される。
【００１２】
請求項８の発明は、請求項１において、ホッパーを上昇又は下降可能に支持すると共に、給紙動作によりホッパーを上昇又は下降させるホッパー上下用カム機構を備え、ホッパーの上昇タイミングは紙戻し部材が倒伏位置に到達した後であることを特徴とする。
請求項８の発明によれば、紙戻し部材が起立状態又は倒伏位置へ向う途中でホッパーが上昇し用紙の差し込みが開始されると紙戻し部材によって用紙先端が折損する恐れがあるが、ホッパーの上昇タイミングを紙戻し部材の倒伏位置への到達後にすることで、前記不具合を確実に防止できる。
【００１３】
請求項９の発明は、請求項１において、紙戻し部材の倒伏位置から起立位置への回動タイミングはホッパーを下降させた後であることを特徴とする。
請求項９の発明によれば、最上位の用紙の給紙完了後に作動する紙戻し部材の起立復帰により、重送された用紙を確実にホッパ内に戻すことができる。この動作が給紙中に行われることにより、スループットが向上される。また印字中、紙戻し部材が起立位置にあるので、従来のように余分な用紙が用紙搬送路に進入するのを阻止するアイドルローラが不要となり、紙戻し部材と給紙ローラの間の接触負荷を低減できる。
【００１４】
請求項１０の発明は、請求項８又は９において、ホッパーは幅方向の一端側を支点に回動させる構造とし、該支点が給紙ローラの配置された側とは反対側に設けられていることを特徴とする。
請求項１０の発明によれば、ホッパーの回動支点が給紙ローラの配置された側とは反対側に設けられているので、ホッパーの縦幅を狭くすることができ、ホッパーの小型化が図れると共に、１つの給紙ローラに接離する構造により、部品点数を削減することができる。
【００１５】
請求項１１の発明は、請求項１０において、ホッパーは給紙ローラに対してホッパー面が一定の傾きを保った状態で上昇又は下降することを特徴とする。
請求項１１の発明によれば、ホッパーの上昇又は下降動作において、ホッパーの面は給紙ローラに対して一定の傾きが保たれるので、用紙枚数が変動しても分離パッドへの進入角度が変わらず、安定した給紙が行われる。
【００１６】
【発明の実施の形態】
本願発明の実施の形態を説明する。図１は本発明に係る給紙装置を適用した記録装置の横断面図である。
記録装置１は、給紙ローラ２の回転によりホッパー３に積載された複数枚の用紙Ｐを分離パッド４で給紙ローラ２に押付けて1枚つづ分離し、ペーパーガイド５に沿わせて搬送ローラ６に給送し、スキュー取りした後、印字タイミングに合わせて記録領域へ送り、記録ヘッド７を搭載したキャリッジ８の副走査方向の往復運動により印字を行った後に排出ローラ９にて排出する。
【００１７】
記録装置１のハウジング１０にはペーパーサポート２１を取り付け、このペーパーサポート２１に支えられた用紙Ｐの側縁を規制する為のエッジガイド２２がハウジング１０に摺動可能に設けられている。エッジガイド２２と給紙ローラ２との間にはホッパー３が回動可能に設けられており、このホッパー３を上昇させたとき分離パッド４が最上位の用紙を給紙ローラ２に押し付けて分離し給送する。
【００１８】
給紙装置２０は、給紙ローラ２、補助ローラ３３、ローラ駆動ギア３５などを組込んで一体化したユニット（Ａ）３０と、ホッパー３、分離パット４を有する紙戻し部材４２をフレーム４１に組込んで一体化したユニット（Ｂ）４０とを含み、ユニット（Ａ）３０はキャリッジ１０とを仕切るフレーム１３の背面に固定され、ユニット（Ｂ）４０は断面山形のフレーム４１の裾部分が搬送ローラ６と排出ローラ９を結ぶ用紙搬送経路の略延長線上になるようメインフレーム１２に取り付けられている。これらユニット化により記録装置への組立て工数を減らすと共に、組み付け後のユニットの調整を少なくすることができる。
【００１９】
ユニット（Ａ）及びユニット（Ｂ）を更に詳しく説明する。図２はユニット（Ａ）の平面図、図３は図２のＩ−Ｉ矢視の側面図、図４はユニット（Ｂ）の平面図、図５は図４のII−II矢視の側面図、図６は図４のIII−III断面による紙戻し部材の作動を示す説明図、図７は紙戻し部材の平面図、図８は図７のIV−IV矢視の側面図、図９は図７のV−V矢視の側面図、図１０はユニット（Ａ）とユニット（Ｂ）の組付け時の斜視図である。
【００２０】
図２において、ユニット（Ａ）３０はローラホルダ３１の軸受け部３１ａにローラ軸３２が回転可能に支持され、このローラ軸３２には給紙ローラ２及び補助ローラ３３がそれぞれ設けられている。ローラ軸３２には、ホッパー３の上昇又は下降を操作するホッパーカム機構を構成するホッパー上下用カム３４及び回転駆動する為の伝達ギヤ３５が設けられている。ホッパー上下用カム３４の側面には、後述の紙戻し部材４２の倒伏動作における初期傾倒動作を行う小カム３６が設けられている。伝達ギヤ３５は、図示を省略した給紙モータの駆動ギヤに中間伝達ギヤを介して連係されている。
【００２１】
給紙ローラ２は、図３に示すように円弧部分２ａと平坦部分２ｃからなり、円弧部分２ａには用紙を給送する為に摩擦材が取り付けられている。円弧部分２ａは、平坦部分２ｃに出張った円弧部分２ｂを持せて全体の円弧長を大きくしている。円弧部分２ｂは、ホッパー３の用紙積載量が変化しても搬送ローラ６まで用紙を確実に給送するよう作用する。ホッパー３に１枚の用紙がある場合は、ホッパー３を下限位置から上昇させ、用紙を給紙ローラ２へ当接させるまでの時間が最も長くなる。つまり、給紙ローラ２は用紙の当接までの間に所定角回転するので、円弧部分２ｂの長さは用紙の当接位置からの給送で搬送ローラ６へ到達するよう設定される。このように給紙ローラ２の平坦部分２ｃ側に出張った円弧部分２ｂを設けることで、給紙ローラ２を大径にすることなく、全体の円弧部分２ａを長くすることができ、装置の小型化が図れる。
【００２２】
ホッパー３に収納された用紙を幅方向の一方側に配置された１つの給紙ローラ２で給送する場合、用紙の一方側においては給紙ローラ２に巻き込まれて用紙側部がカールして進入する。用紙の他側においては給紙ローラ２が無い為、真っ直ぐな状態で進入する。このように用紙の幅方向において、異なった進入を基に用紙搬送が行われるとスキューが起こり、紙ジャムを発生し易くなる。用紙の幅方向の片側のみに給紙ローラ２を配置した方式による上記不具合を解消するため、給紙ローラ２から離した幅方向の中央寄りに補助ローラ３３が配設されている。
【００２３】
補助ローラ３３は、給紙ローラ２と同軸上に配置され、用紙を紙戻し部材４２の補助パッド４Ａによって押し付け、用紙の幅方向の中央寄りを給紙ローラと同じように巻き込むよう機能する。補助ローラ３３を備えることで、用紙の他端の動きが抑えられ、スキューを起こし難くくなる。符号３７は、記録ヘッド７に印字信号を伝送するフラットケーブル３８を保持する為にフレーム３１に設けられたフラットケーブル係止部（図１参照）である。
【００２４】
ユニット（Ｂ）４０は、記録装置１の幅方向に延びた断面山形のフレーム４１の前方傾斜面をペーパーガイド５にし、後方傾斜面にはホッパー３が配置されていると共に、フレーム４１の頂上には稜線部分４１ｂに沿って紙戻し部材４２が配置され、その基端が稜線部分４１ｂに回動可能に設けられている。ホッパー３は、記録装置１の幅方向の一端を支点４３としてフレーム４１の傾斜面に沿って回動可能に取り付けられており、他端はユニット（Ａ）３０側に位置し、ホッパーエッジガイド３ａが設けられ、その上端面はホッパー上下用カム３４が作用するホッパーカムフォロア３ｃを形成している。ホッパーエッジガイド３ａから外方へ延びた突出部分３ｂが形成されており、この突出部分３ｂがフレーム４１から立設されたホッパーガイド４１ａに嵌入され、ホッパー３の他端の動きを上昇又は下降方向のみに規制している。
【００２５】
ホッパー３の回動支点４３は、その近傍のホッパー面が稜線部分４１ｂにほぼ一致するように設けられており、用紙セット時に用紙先端がホッパー３の回動支点４３側のフレーム４１に引掛かるのを防止している。また、ホッパー３の他端の近傍背面には、フレーム４１との間にホッパーバネ４４が介装され、ホッパー３を傾斜面の頂き方向に付勢している。ホッパー３の面には、分離パッド４の位置に合わせて高摩擦材のシート４５が貼付けられている。
【００２６】
紙戻し部材４２は、軸受け構造に形成された基端４２ｂをフレーム４１の軸部に嵌め込むことによって、回動可能に取り付けられている。紙戻し部材４２の表面４２ｃには、離間して配置された分離パッド４と補助パッド４Ａを有する。ホッパー３のエッジガイド３ａ側には、紙戻し部材４２の初期傾倒を行う為のカムフォロア４２ａが設けられており、このカムフォロア４２ａにはホッパー上下用カム３４の側面に設けられた小カム３６が作用する。ここで、小カム３６とカムフォロア４２ａは、紙戻し部材４２を給紙ローラ２の給送方向への回転に連動させて起立位置から倒伏位置に向けて所定角を回動させる傾動手段を構成している。
【００２７】
基端４２ｂとは反対側の自由端は、分離パッド４の幅を除く部分に表面４２ｃから斜め上方に僅かに延びた土手部４２ｄが形成されており、この土手部４２ｄは紙戻し時に用紙先端を確実に捉えてホッパー３へ押し戻すよう作用する。
ペーパーガイド５には、紙戻し部材４２と略同形の切欠き部４６が形成されており、この切欠き部４６は、紙戻し部材４２が起立状態（図６（１）の状態）から紙戻し部材用バネ４７の付勢力に抗して回動し倒伏（図６（２）の状態）したときに覆われ、ペーパーガイド５に面一になる。紙戻し部材用バネ４７は、例えばコイルスプリングで構成されており、フレーム４１の裏側に配設されている。紙戻し部材用バネ４７の一端は、紙戻し部材４２の裏面に、他端はフレーム４１にそれぞれ係止され、紙戻し部材４２を起立（図５の状態）させるよう付勢している。
【００２８】
紙戻し部材４２の起立は、ほぼ垂直に立ち上がっており、セット時の用紙が用紙搬送路に不用意に進入するのを阻止する。この起立状態では、給紙ローラ２のローラ面の回転軌跡外に紙戻し部材４２があって回動力を与えることができない。そこで、紙戻し部材４２に回動力を作用させる部分を給紙ローラ２のローラ面の回転軌跡内に入れる為、給紙動作の給紙ローラ２の回転初期において、小カム３６とカムフォロア４２ａにより給紙ローラ２の回転に連動して紙戻し部材４２を所定角の初期回動させる。その後、給紙ローラ２の回転押付け力が紙戻し部材４２に直接作用し、回動させる。これにより紙戻し部材４２を無理なく円滑に回動させることができる。
ホッパー３の回動支点側には、稜線部分４１ｂに近いペーパーガイド５上に用紙受け部４８が形成されており、この用紙受け部４８はホッパー３の回動支点４３側が幅広で中央に向かって幅狭になる上視三角平面を持っており、これにより積載した用紙の荷崩れが防止される。
【００２９】
図１１は紙戻し部材を倒伏させるときの初期回動を行う傾動手段の他の実施例を示す斜視図である。分離パッド４の両側方には、紙戻し部材４２の自由端に向けて溝カム４２ｅが形成されている。給紙ローラ２の両側のフランジ２ｄには、紙戻し部材４２の溝カム４２ｅに作用する小カム３６ａが設けられている。給紙ローラ２のローラ面が紙戻し部材４２の分離パッド４に接触するのに先立って小カム３６ａが溝カム４２ａに作用し紙戻し部材４２を所定角の初期回動させる。その後における紙戻し部材４２の倒伏動作は、前記実施例と同様である。
【００３０】
次に給紙動作を説明する。図１２〜図２４は給紙動作の流れを示す説明図である。複数枚の用紙Ｐをペーパーサポート２１にセットする。ホームポジションにある給紙ローラ２の平坦部分はフレーム４１のペーパーガイド５の面にほぼ平行であり、紙戻し部材４２は起立して給紙ローラ２との間で干渉しない状態となっている。紙戻し部材４２の起立時は、給紙ローラ２とホッパー３との間の用紙搬送路を遮る位置にあって、用紙セット時に用紙の先端を規制することで、用紙搬送路に進入するを阻止する働きを持っている。一方、ホッパー上下用カム３４により、ホッパー３が下限位置に押し下げられている（図１２の状態）。給紙スタートにより給紙ローラ２が回転すると、先ず小カム３６が紙戻し部材４２のカムフォロア４２ａに作用して紙戻し部材４２を僅かに傾けて倒伏の初期動作が行われる（図１３の状態）。紙戻し部材４２が所定角傾けられた後に、給紙ローラ２が紙戻し部材４２の表面に当たって、そのときの回転押付け力により紙戻し部材用バネ４７の付勢に抗して紙戻し部材４２を倒伏位置に向けて回動させる。この間、ホッパー上下用カム３４がホッパーカムフォロア３ｃに作用し、ホッパー３を下限位置に維持する（図１４の状態）。紙戻し部材４２が倒伏位置に達し（図１５の状態）、その後ホッパー上下用カム３４によるホッパー３の下限位置の維持が解かれ、ホッパーバネ４４によってホッパー３が上昇し、最上位の用紙を給紙ローラ２に押し付ける（図１６の状態）。給紙ローラ２の回転により最上位の用紙の給送が始まる（図１７の状態）。なお、図中、上向き矢印により用紙先端の位置を示す。用紙先端が搬送ローラ６に到達する前に、ホッパー上下用カム３４がホッパーカムフォロア３ｃに作用し、ホッパー３を図１８に示す下降直前の位置から下降を開始する（図１９は下降途中の状態）。ホッパー３が下限位置に到達し（図２０）、その後紙戻し部材４２の起立動作が紙戻し部材用バネ４７のバネ力で始まる（図２１は起立直前の状態）。この間において、用紙先端は搬送ローラ６に到達し、スキュー取り及び頭出し動作が行われる。
【００３１】
引続き、紙戻し部材用バネ４７のバネ力により紙戻し部材４２の起立が完了する。この起立する為の回動中に、先の動作において最上位の用紙Ｐに共連れし給紙ローラ２と紙戻し部材４２の間にくさび効果によって入り込んだ重送の用紙Ｐ１の先端を捉え、ホッパー３内に押して収容する紙戻しが行われる（図２２は紙戻し完了時、図２３は紙戻し完了後の給紙ローラ２のホームホジションへの回転途中の状態）。給紙ローラ２がホームホジションに戻る間に、用紙Ｐへ印刷が始まる（図２４の状態）。
【００３２】
【発明の効果】
本発明によれば、紙戻し部材に分離パッドを取り付けたので、従来のように分離パッドホルダと紙戻しレバーとを別々に構成する場合と比べて部品点数を減らすことができ、構造の簡素化によりコスト低減が図れる。
また、非給紙時に紙戻し部材を起立させておくことにより、用紙が用紙搬送路へ不用意に進入するのを阻止できる。
【図面の簡単な説明】
【図１】本発明に係る給紙装置を適用した記録装置の横断面図である。
【図２】ユニット（Ａ）の平面図である。
【図３】図２のＩ−Ｉ矢視の側面図である。
【図４】ユニット（Ｂ）の平面図である。
【図５】図４のII−II矢視の側面図である。
【図６】図４のIII−III断面による紙戻し部材の作動を示す説明図である。
【図７】紙戻し部材の平面図である。
【図８】図７のIV−IV矢視の側面図である。
【図９】図７のV−V矢視の側面図である。
【図１０】ユニット（Ａ）とユニット（Ｂ）の組付け時の斜視図である。
【図１１】紙戻し部材を倒伏させるときの初期回動を行う傾動手段の他の実施例を示す斜視図である。
【図１２】給紙ローラがホームポジションのときのホッパー、紙戻し部材の関係を示す図である。
【図１３】小カムにて紙戻し部材を倒し始めを示す図である。
【図１４】給紙ローラが分離パッドに当接した状態を示す図である。
【図１５】紙戻し部材の倒伏位置を示す図である。
【図１６】ホッパーが上昇した直後を示す図である。
【図１７】給紙中を示す図である。
【図１８】ホッパーが下降を始める直前を示す図である。
【図１９】ホッパーの下降途中を示す図である。
【図２０】ホッパーが下限に到達した状態を示す図である。
【図２１】紙戻し部材が起立動作を開始する直前を示す図である。
【図２２】紙戻し部材が起立位置に達し紙戻し完了を示す図である。
【図２３】紙戻し完了後の給紙ローラの回転を示す図である。
【図２４】給紙ローラがホームポジションに戻った状態を示す図である。
【符号の説明】
１    記録装置
２    給紙ローラ
３    ホッパー
３ｃ  ホッパーカムフォロア
４    分離パッド
５    ペーパーガイド
６    搬送ローラ
７    記録ヘッド
８    キャリッジ
９    排出ローラ
１０  ハウジング
１２  メインフレーム
２０  給紙装置
２１  ペーパーサポート
２２  エッジガイド
３０  ユニット（Ａ）
３３  補助ローラ
３４  ホッパーカム
３６，３６ａ  小カム
４０  ユニット（Ｂ）
４２  紙戻し部材
４２ａ  カムフォロア
４２ｅ  溝カム
４８  用紙受け部
【図１】
0003680312.tif 000002
【図２】
0003680312.tif 000003
【図３】
0003680312.tif 000004
【図４】
0003680312.tif 000005
【図５】
0003680312.tif 000006
【図６】
0003680312.tif 000007
【図７】
0003680312.tif 000008
【図８】
0003680312.tif 000009
【図９】
0003680312.tif 000010
【図１０】
0003680312.tif 000011
【図１１】
0003680312.tif 000012
【図１２】
0003680312.tif 000013
【図１３】
0003680312.tif 000014
【図１４】
0003680312.tif 000015
【図１５】
0003680312.tif 000016
【図１６】
0003680312.tif 000017
【図１７】
0003680312.tif 000018
【図１８】
0003680312.tif 000019
【図１９】
0003680312.tif 000020
【図２０】
0003680312.tif 000021
【図２１】
0003680312.tif 000022
【図２２】
0003680312.tif 000023
【図２３】
0003680312.tif 000024
【図２４】
0003680312.tif 000025